【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
操作部材と、
その操作部材の操作量を検出する検出手段と、
球を発射する発射手段と、
前記検出手段の検出値に基づいてその発射手段から発射される球の発射強度を制御する発射強度制御手段とを備えた遊技機において、
前記発射強度制御手段は、
前記検出手段の検出値が第１範囲である場合には、第１の関係に基づき前記発射手段から発射される球の発射強度を制御する第１制御手段と、
前記前記検出手段の検出値が第２範囲である場合には、第２の関係に基づき前記発射手段から発射される球の発射強度を制御する第２制御手段とを備えており、
その第２制御手段により制御される前記発射手段から発射される球の発射強度は、前記第１制御手段により制御される前記発射手段から発射される球の発射強度よりも大きくなるように構成されていることを特徴とする遊技機。
【請求項２】
操作部材と、
その操作部材の操作量に基づいて抵抗値を変化させる第１可変抵抗器を少なくとも有する第１分圧手段と、
その第１分圧手段に直流電圧を供給し、前記第１可変抵抗器の抵抗に基づいた電圧をその第１可変抵抗器に発生させる第１直流電圧供給手段とを備えた遊技機において、
前記第１直流電圧供給手段とは異なり、基準電圧を出力する基準電圧出力手段と、
その基準電圧出力手段により出力される基準電圧と、前記第１可変抵抗器に発生した電圧とをそれぞれ入力し、前記第１可変抵抗器に発生した電圧が、前記基準電圧出力手段により出力される基準電圧より大きい場合または前記基準電圧出力手段により出力される基準電圧以上である場合には所定の直流電圧を出力する第１電圧出力手段と、
その第１電圧出力手段により出力される電圧を、前記第１可変抵抗器に発生した電圧と足し合わせる加算手段と、
その加算手段から出力される出力電圧に伴う電圧を入力し、その入力した電圧に基づいて、発射手段から発射される球の発射強度を制御する制御手段とを備えていることを特徴とする遊技機。
【請求項３】
操作部材と、
その操作部材の操作量に基づいて抵抗値を変化させる第１可変抵抗器を少なくとも有する第１分圧手段と、
その第１分圧手段に直流電圧を供給し、前記第１可変抵抗器の抵抗に基づいた電圧をその第１可変抵抗器に発生させる第１直流電圧供給手段とを備えた遊技機において、
前記第１直流電圧供給手段とは異なり、基準電圧を出力する基準電圧出力手段と、
その基準電圧出力手段により出力される基準電圧と、前記第１可変抵抗器に発生した電圧とをそれぞれ入力し、前記第１可変抵抗器に発生した電圧が、前記基準電圧出力手段により出力される基準電圧より大きい場合または前記基準電圧出力手段により出力される基準電圧以上である場合には所定の直流電圧を出力する第１電圧出力手段と、
前記第１可変抵抗器に発生した電圧を分圧する電圧分圧手段と、
その電圧分圧手段により分圧された電圧と、前記第１電圧出力手段により出力される電圧とを足し合わせる加算手段と、
その加算手段から出力される出力電圧に伴う電圧を入力し、その入力した電圧に基づいて、発射手段から発射される球の発射強度を制御する制御手段とを備えていることを特徴とする遊技機。
【請求項４】
操作部材と、
その操作部材の操作量に基づいて抵抗値を変化させる第１可変抵抗器を少なくとも有する第１分圧手段と、
その第１分圧手段に直流電圧を供給し、前記第１可変抵抗器の抵抗に基づいた電圧をその第１可変抵抗器に発生させる第１直流電圧供給手段とを備えた遊技機において、
前記第１直流電圧供給手段とは異なり、基準電圧を出力する基準電圧出力手段と、
その基準電圧出力手段により出力される基準電圧と、前記第１可変抵抗器に発生した電圧とをそれぞれ入力し、その第１可変抵抗器に発生した電圧が、前記基準電圧出力手段により出力される基準電圧以下である場合又は前記基準電圧出力手段により出力される基準電圧未満である場合には第１直流電圧を出力し、前記第１可変抵抗器に発生した電圧が、前記基準電圧出力手段により出力される基準電圧より大きい場合または前記基準電圧出力手段により出力される基準電圧以上である場合には前記第１直流電圧より高い電圧値である第２直流電圧を出力する第２電圧出力手段と、
その第２電圧出力手段により出力される電圧を、前記第１可変抵抗器に発生した電圧と足し合わせる加算手段と、
その加算手段から出力される出力電圧に伴う電圧を入力し、その入力した電圧に基づいて、発射手段から発射される球の発射強度を制御する制御手段とを備えていることを特徴とする遊技機。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】０５７９
【補正方法】変更
【補正の内容】
【０５７９】
以下に、本発明の遊技機に加えて、上述した実施形態に含まれる各種発明の概念を示す。
操作部材と、その操作部材の操作量に基づいて第１値を変化させる第１値変化手段とを備えた遊技機において、前記第１値と異なる第２値を出力する第２値出力手段と、前記第１値変化手段により変化される第１値を、第２値出力手段により出力される第２値と合成する合成手段と、その合成手段によって前記第１値と前記第２値とが合成された値に基づいて、発射手段から発射される球の発射強度を制御する球強度制御手段とを備えていることを特徴とする遊技機１。第１変化手段は、操作部材の操作量に基づいて第１値を変化させる。この操作部材の操作量により変化する第１値と、第２値出力手段から出力される第２値を合成手段に入力すると、合成手段は、第１値と第２値とを合成する。合成手段によって第１値と第２値とが合成された値に基づいて、球強度制御手段は、発射手段から発射される球の発射強度を制御する。よって、球の発射強度を、操作部材の操作量により変化する第１値に加え、第２値出力手段から出力される第２値によっても調整することができる。